(57)【特許請求の範囲】
【請求項１】
ネットワークを介して複数の画像表示装置に接続するための接続手段と、
アナログ映像信号及びアナログ音声信号を出力可能な外部機器が接続されるアナログ映像信号入力端子及びアナログ音声信号入力端子と、
前記アナログ映像信号入力端子及びアナログ音声信号入力端子からそれぞれ入力された前記アナログ映像信号及び前記アナログ音声信号をディジタル信号に変換する変換手段と、
前記画像表示装置から前記ネットワークを介して送出された画質調整信号を受信し、受信した画質調整信号に応じて前記変換手段により信号変換するときに画質を調整する手段と、
前記画質を調整する手段により画質が調整された前記ディジタル信号で構成される同一画面を、前記ネットワークを介して前記複数の画像表示装置に送出する手段と
を具備することを特徴とする画像変換装置。
【請求項２】
請求項１に記載の画像変換装置において、
前記調整手段により調整される画質が、輝度、色度（Ｃｈｒｏｍｉｎａｎｃｅ）、コントラスト、彩度、色相のうち少なくとも１つであることを特徴とする画像変換装置。
【請求項３】
請求項１又は請求項２に記載の画像変換装置において、
前記変換手段が前記アナログ映像信号をＭＰＥＧディジタル信号に変換することを特徴とする画像変換装置。
【請求項４】
請求項１から請求項３のうちいずれか１項に記載の画像変換装置において、
アナログ映像信号及びアナログ音声信号を出力するテレビチューナをさらに具備し、
前記変換手段は、前記テレビチューナから出力された前記アナログ映像信号及び前記アナログ音声信号をディジタル信号に変換することを特徴とする画像変換装置。
【請求項５】
請求項３に記載の画像変換装置において、
前記画質を調整する手段は、下記の式
Ｙｏｕｔ＝Ｉｎｔ[Ｄｃｏｎｔｒａｓｔ／Ｃ０＊Ｙｉｎ−Ｃ１]＋Ｄｂｒｉｇｈｔｎｅｓｓ
ただし、
Ｙｏｕｔ：輝度出力信号
Ｉｎｔ：カッコ内を整数化するという演算をする関数
Ｄｃｏｎｔｒａｓｔ：前記画像表示装置から調整用に送られたコントラストの調整値
Ｃ０：前記ＭＰＥＧディジタル信号に変換する当該画像変換装置に特有の定数
Ｙｉｎ：入力輝度信号
Ｃ１：前記ＭＰＥＧディジタル信号に変換する当該画像変換装置に特有の定数
Ｄｂｒｉｇｈｔｎｅｓｓ：前記画像表示装置側から調整用に送られた輝度の調整値
を用いて、画質を調整することを特徴とする画像変換装置。
【請求項６】
ネットワークを介して複数の画像表示装置に接続するための接続手段と、
アナログ映像信号及びアナログ音声信号を出力可能なテレビチューナと、
前記テレビチューナから出力された前記アナログ映像信号及び前記アナログ音声信号をディジタル信号に変換する変換手段と、
前記画像表示装置から前記ネットワークを介して送出された画質調整信号を受信し、受信した画質調整信号に応じて前記変換手段により信号変換するときに画質を調整する手段と、
前記画質を調整する手段により画質が調整された前記ディジタル信号で構成される同一画面を、前記ネットワークを介して前記複数の画像表示装置に送出する手段と
を具備することを特徴とする画像変換装置。
【請求項７】
アナログ映像信号をディジタル信号に変換する画像変換装置と前記ディジタル信号に基づき映像を表示する画像表示装置とをネットワークを介して接続した画像表示システムであって、
前記画像表示装置が、前記画像変換装置に対して前記ネットワークを介して画質調整信号を送出する手段を有し、
前記画像変換装置が、
アナログ映像信号及びアナログ音声信号を出力可能な外部機器が接続されるアナログ映像信号入力端子及びアナログ音声信号入力端子と、
前記外部機器から出力される前記アナログ映像信号及び前記アナログ音声信号をディジタル信号に変換する変換手段と、
前記画像表示装置から送出された画質調整信号を前記ネットワークを介して受信し、受信した画質調整信号に応じて前記アナログ映像信号をディジタル信号に変換するときに画質を調整する手段とを具備し、
前記ネットワークには、前記画像変換装置から送出されたディジタル信号に基づき画像を表示する画像表示装置が複数接続可能であり、
前記画像変換装置は、前記変換した前記ディジタル信号で構成される同一画面を、前記ネットワークを介して前記複数の画像表示装置に送出することを特徴とする画像表示システム。
【請求項８】
請求項７に記載の画像表示システムにおいて、
前記調整される画質が、輝度、色度（Ｃｈｒｏｍｉｎａｎｃｅ）、コントラスト、彩度、色相のうち少なくとも１つであることを特徴とする画像表示システム。
【請求項９】
請求項７又は請求項８に記載の画像表示システムにおいて、
前記画像変換装置は、前記アナログ映像信号をＭＰＥＧディジタル信号に変換するものであることを特徴とする画像表示システム。
【請求項１０】
請求項７から請求項９のうちいずれか１項に記載の画像表示システムにおいて、
前記画像変換装置が、アナログ映像信号及びアナログ音声信号を出力するテレビチューナをさらに具備し、
前記画像変換装置の前記変換手段は、前記テレビチューナから出力された前記アナログ映像信号及び前記アナログ音声信号をディジタル信号に変換することを特徴とする画像表示システム。
【請求項１１】
請求項９に記載の画像表示システムにおいて、
前記画質を調整する手段は、下記の式
Ｙｏｕｔ＝Ｉｎｔ[Ｄｃｏｎｔｒａｓｔ／Ｃ０＊Ｙｉｎ−Ｃ１]＋Ｄｂｒｉｇｈｔｎｅｓｓ
ただし、
Ｙｏｕｔ：輝度出力信号
Ｉｎｔ：カッコ内を整数化するという演算をする関数
Ｄｃｏｎｔｒａｓｔ：前記画像表示装置から調整用に送られたコントラストの調整値
Ｃ０：前記ＭＰＥＧディジタル信号に変換する当該画像変換装置に特有の定数
Ｙｉｎ：入力輝度信号
Ｃ１：前記ＭＰＥＧディジタル信号に変換する当該画像変換装置に特有の定数
Ｄｂｒｉｇｈｔｎｅｓｓ：前記画像表示装置側から調整用に送られた輝度の調整値
を用いて、画質を調整することを特徴とする画像表示システム。
【請求項１２】
アナログ映像信号をディジタル信号に変換する画像変換装置と前記ディジタル信号に基づき映像を表示する画像表示装置とをネットワークを介して接続した画像表示システムであって、
前記画像表示装置が、前記画像変換装置に対して前記ネットワークを介して画質調整信号を送出する手段を有し、
前記画像変換装置が、
アナログ映像信号及びアナログ音声信号を出力可能なテレビチューナと、
前記テレビチューナから出力された前記アナログ映像信号及び前記アナログ音声信号をディジタル信号に変換する変換手段と、
前記画像表示装置から送出された画質調整信号を前記ネットワークを介して受信し、受信した画質調整信号に応じて前記アナログ映像信号をディジタル信号に変換するときに画質を調整する手段とを具備し、
前記ネットワークには、前記画像変換装置から送出されたディジタル信号に基づき画像を表示する画像表示装置が複数接続可能であり、
前記画像変換装置は、前記変換した前記ディジタル信号で構成される同一画面を、前記ネットワークを介して前記複数の画像表示装置に送出することを特徴とする画像表示システム。
【発明の詳細な説明】
【０００１】
【発明の属する技術分野】
本発明は、例えばアナログ映像信号をＭＰＥＧディジタル信号に変換するＭＰＥＧコンバータ等の画像変換装置に関する。
【０００２】
本発明は、例えば上記のＭＰＥＧコンバータとパーソナルコンピュータとをイーサネット（登録商標）を介して接続し、ＭＰＥＧコンバータで変換されたディジタル信号に基づきパーソナルコンピュータ上に映像を表示するように構成した画像表示システムに関する。
【０００３】
【従来の技術】
ネットワーク化は企業内ばかりでなく、一般の家庭内にも波及している。これらのネットワークにおいては、ＰＣ間でのデータのやりとりばかりでなく、例えば従来はテレビ受像機で表示していたアナログ映像等もＰＣのディスプレイ上で表示することも可能になってきている。
【０００４】
このようにＰＣのディスプレイ上からアナログ映像を表示しようとする場合、例えばＭＰＥＧコンバータが使われる。ＭＰＥＧコンバータは例えばＰＣが接続されたイーサネット或いは直接ＰＣに対して接続され、ＭＰＥＧコンバータ自体が有するテレビチューナ或いはＭＰＥＧコンバータに接続されたテレビ受像機からのアナログ映像信号をＭＰＥＧディジタル信号に変換し、ＰＣに対してこの信号を送信するものである。
【０００５】
ところで、このようなＰＣ上に表示される画像の画質調整は、例えばＰＣのディスプレイ上に表示されるウィンドウ上でその操作が行われ、その操作に応じてＰＣでの演算処理により行われている。
【０００６】
【発明が解決しようとする課題】
しかしながら、このようなＰＣによる画質調整では、画質調整の演算処理が非常に負荷が大きいことからＰＣの性能によっては所望の画質が得られなかったり、或いは画質調整の幅が制限される等の問題があった。
【０００７】
本発明は、かかる課題を解決するためになされたもので、画質調整を比較的軽い演算処理で行うことができる画像変換装置及び画像表示システムを提供することを目的としている。
【０００８】
【課題を解決するための手段】
かかる課題を解決するため、本発明の主たる観点に係る画像変換装置は、ネットワークを介して複数の画像表示装置に接続するための接続手段と、アナログ映像信号及びアナログ音声信号を出力可能な外部機器が接続されるアナログ映像信号入力端子及びアナログ音声信号入力端子と、前記アナログ映像信号入力端子及びアナログ音声信号入力端子からそれぞれ入力された前記アナログ映像信号及び前記アナログ音声信号をディジタル信号に変換する変換手段と、前記画像表示装置から前記ネットワークを介して送出された画質調整信号を受信し、受信した画質調整信号に応じて前記変換手段により信号変換するときに画質を調整する手段と、前記画質を調整する手段により画質が調整された前記ディジタル信号で構成される同一画面を、前記ネットワークを介して前記複数の画像表示装置に送出する手段とを具備する。
本発明の別の観点に係る画像変換装置は、ネットワークを介して複数の画像表示装置に接続するための接続手段と、アナログ映像信号及びアナログ音声信号を出力可能なテレビチューナと、前記テレビチューナから出力された前記アナログ映像信号及び前記アナログ音声信号をディジタル信号に変換する変換手段と、前記画像表示装置から前記ネットワークを介して送出された画質調整信号を受信し、受信した画質調整信号に応じて前記変換手段により信号変換するときに画質を調整する手段と、前記画質を調整する手段により画質が調整された前記ディジタル信号で構成される同一画面を、前記ネットワークを介して前記複数の画像表示装置に送出する手段とを具備する。
【０００９】
本発明の別の観点に係る画像表示システムは、アナログ映像信号をディジタル信号に変換する画像変換装置と前記ディジタル信号に基づき映像を表示する画像表示装置とをネットワークを介して接続した画像表示システムであって、前記画像表示装置が、前記画像変換装置に対して前記ネットワークを介して画質調整信号を送出する手段を有し、前記画像変換装置が、アナログ映像信号及びアナログ音声信号を出力可能な外部機器が接続されるアナログ映像信号入力端子及びアナログ音声信号入力端子と、前記外部機器から出力される前記アナログ映像信号及び前記アナログ音声信号をディジタル信号に変換する変換手段と、前記画像表示装置から送出された画質調整信号を前記ネットワークを介して受信し、受信した画質調整信号に応じて前記アナログ映像信号をディジタル信号に変換するときに画質を調整する手段とを具備し、前記ネットワークには、前記画像変換装置から送出されたディジタル信号に基づき画像を表示する画像表示装置が複数接続可能であり、前記画像変換装置は、前記変換した前記ディジタル信号で構成される同一画面を、前記ネットワークを介して前記複数の画像表示装置に送出する。
本発明の別の観点に係る画像表示システムは、アナログ映像信号をディジタル信号に変換する画像変換装置と前記ディジタル信号に基づき映像を表示する画像表示装置とをネットワークを介して接続した画像表示システムであって、前記画像表示装置が、前記画像変換装置に対して前記ネットワークを介して画質調整信号を送出する手段を有し、前記画像変換装置が、アナログ映像信号及びアナログ音声信号を出力可能なテレビチューナと、前記テレビチューナから出力された前記アナログ映像信号及び前記アナログ音声信号をディジタル信号に変換する変換手段と、前記画像表示装置から送出された画質調整信号を前記ネットワークを介して受信し、受信した画質調整信号に応じて前記アナログ映像信号をディジタル信号に変換するときに画質を調整する手段とを具備し、前記ネットワークには、前記画像変換装置から送出されたディジタル信号に基づき画像を表示する画像表示装置が複数接続可能であり、前記画像変換装置は、前記変換した前記ディジタル信号で構成される同一画面を、前記ネットワークを介して前記複数の画像表示装置に送出する。
【００１０】
既に、例えば無線のイーサネット上で例えば動画等のＭＰＥＧディジタル信号を伝送するシステムが商品化されているが、いずれにしても上述したようにこれらは例えばモニタ画面を有する受信側の機器で画質調整及びその処理が行われるものであった。これに対して、本発明では、例えばＭＰＥＧディジタル信号を送信する側の機器である画像変換装置において特にアナログ映像信号をディジタル信号に変換するときに画質を調整するものである。これにより、画質調整を比較的軽い演算処理で行うことができる。また、画質調整をネット上のソースに近い側で行うことにより、例えばネット上で同一画面を複数のディスプレイ上で表示させるような場合に、１回の調整で各ディスプレイに対する調整を済ませることができる。
【００１１】
上記構成に付随させることが可能な構成や独立した発明として主張することが可能な構成、それらの作用・効果は以下に示す実施の形態により理解することができる。
【００１２】
【発明の実施の形態】
以下、本発明の実施の形態を図面に基づき説明する。
図１は本発明の一実施形態に係るＭＰＥＧコンバータの構成を示すブロック図である。
【００１３】
ＭＰＥＧコンバータ１は、映像用のＡ／Ｄ（アナログ信号／ディジタル信号）変換器２と、音声用のＡ／Ｄ変換器３と、ＭＰＥＧエンコーダ４と、イーサネットコントローラ５と、システムコントローラ６とからその主要部が構成されている。
【００１４】
映像用のＡ／Ｄ変換器２は、アナログ映像信号入力端子７から入力されたアナログ映像信号をディジタル信号に変換するものである。より具体的には、Ａ／Ｄ変換器２は、例えばクロマ／ＹＵＶデコーダ８及びＹＵＶの３チャネルＡ／Ｄ変換器９を具備しており、アナログ映像信号をＩＴＵ６０１形式のディジタル信号に変換する。
【００１５】
また、このＡ／Ｄ変換器２は、システムコントローラ６からの画質調整に係る制御信号に応じてクロマ／ＹＵＶデコーダ８及びＹＵＶの３チャネルＡ／Ｄ変換器９によりアナログ映像信号をディジタル信号に変換する際に輝度、色度（Ｃｈｒｏｍｉｎａｎｃｅ）、コントラスト、彩度、色相等が調整されるようになっている。
【００１６】
音声用のＡ／Ｄ変換器３は、アナログ音声入力端子１０から入力されたアナログ音声信号をＡ／Ｄ変換するものである。なお、音質の調整についても本発明に係る画質調整と同様に行うようにしても勿論構わない。
【００１７】
なお、アナログ映像信号入力端子７及びアナログ音声入力端子１０には、ビデオデッキやＢＳ／ＣＳチューナ、ＤＶＤ／ＣＤプレーヤ、テレビ電話等の外部機器が接続される。また、本実施形態に係るＭＰＥＧコンバータ１内にテレビチューナを有し、テレビチューナから出力されたアナログ映像信号及びアナログ音声信号を映像用のＡ／Ｄ変換器２及び音声用のＡ／Ｄ変換器３に入力させるような構成としても勿論構わない。
【００１８】
イーサネットコントローラ５は、例えばＩＰプロトコルを利用し、例えばＰＪ４５等のイーサネットコネクタ１１に接続されたネットワークや機器に上記の変換されたＭＰＥＧディジタル信号を送信したり、或いはネットワークや直接接続された機器から当該ＭＰＥＧコンバータ１宛てに送信されてきた信号を受信するものである。
【００１９】
このような構成のＭＰＥＧコンバータ１は、例えば図２に示すように、クライアントＰＣ１２に直接接続され、ＩＰプロトコルに従ってＭＰＥＧコンバータ１からクライアントＰＣ１２にＭＰＥＧディジタル信号が伝送され、ＰＣ１２のディスプレイ上にはこの信号に応じた動画等が表示される。
【００２０】
また、このような構成のＭＰＥＧコンバータ１は、図３に示すように、ＰＣ１３が接続されたイーサネット１４にも接続可能である。上記と同様に、ＭＰＥＧコンバータ１からイーサネット１４を介して各ＰＣ１３にＭＰＥＧディジタル信号が伝送され、各ＰＣ１３のディスプレイ上にはこの信号に応じた動画等が表示される。
【００２１】
そして、本実施形態では、図２又は図３のように構成されたシステムにおいて、ＰＣ１２やＰＣ１３での画質調整操作に応じてＭＰＥＧコンバータ１内で画質を調整し、その画質が調整された状態のＭＰＥＧディジタル信号がＭＰＥＧコンバータ１からＰＣ１２やＰＣ１３に伝送されるようになっている。以下、この点を更に詳細に説明する。図４はＭＰＥＧコンバータとＰＣとの間での信号のやりとりを示すタイミングチャートである。
【００２２】
ＰＣ１２、１３側の例えばブラウザ上からＭＰＥＧコンバータ１に対して予め設定されたＵＲＬが入力され、ＭＰＥＧコンバータ１側に送出されると（ステップ４０１）、ＭＰＥＧコンバータ１のイーサネットコントローラ５ではこれを認識してＰＣ１２、１３側に画質調整用のＨＴＭＬ文書を送出する（ステップ４０２）。
【００２３】
ＰＣ１２、１３側ではこのＨＴＭＬ文書に応じた画質調整用の画面がブラウザ上に表示される。この画質調整用の画面には、例えばコントラストや輝度等を調整するための設定ボタンが表示され、この設定ボタンが調整されるとその調整値がＰＣ１２、１３からＭＰＥＧコンバータ１側に送出される（ステップ４０３）。
【００２４】
ＭＰＥＧコンバータ１では、システムコントローラ６がイーサネットコントローラ５を介してＰＣ１２、１３から送出された調整値を受け取ると、例えば以下の式を用いて輝度に関するパラメータを設定する。
0003968498.tif 000002
ここで、
Ｙｏｕｔ：輝度出力信号
Ｉｎｔ：カッコ内を整数化するという演算をする関数
Ｄｃｏｎｔｒａｓｔ：ＰＣ１２、１３側から調整用に送られたコントラストの調整値
Ｃ０：ＭＰＥＧコンバータ１に特有の定数。例えばこれを十進数で１００の時、ＰＣ１２、１３側から送られてくるＤｃｏｎｔｒａｓｔが１００であるとすると、コントラストの変化はない。
Ｙｉｎ：入力輝度信号。8ビットデータで処理する場合、通常０から２５５の間の値をとる。
Ｃ１：ＭＰＥＧコンバータ１に特有の定数。8ビットデータで処理する場合、通常１２８。
Ｄｂｒｉｇｈｔｎｅｓｓ：ＰＣ１２、１３側から調整用に送られた輝度の調整値。例えばＣ１が１２８でＤｂｒｉｇｈｔｎｅｓｓを１２８としたら、輝度は変化しない。
【００２５】
なお、例えば色度（Ｃｈｒｏｍｉｎａｎｃｅ）等に関しても同様にパラメータが算出される。
【００２６】
そして、このように算出された輝度や色度（Ｃｈｒｏｍｉｎａｎｃｅ）等に関するパラメータは映像用のＡ／Ｄ変換器２に画質調整用の制御信号として送出される。
【００２７】
映像用のＡ／Ｄ変換器２ではこのように送出されたパラメータによってアナログ映像信号をディジタル信号に変換するときに画質を調整する。そして、このように画質が調整された例えば動画等のＭＰＥＧディジタル信号（ＭＰＥＧ  ｏｖｅｒ  ＩＰ）がＭＰＥＧコンバータ１からＰＣ１２、１３側に伝送され（ステップ４０４）、ＰＣ１２、１３のディスプレイ上にはこの信号に応じた動画等が表示される。
【００２８】
このように本実施形態によれば、ＰＣ１２、１３側でコントラストや輝度等を調整し、その調整値がＰＣ１２、１３からＭＰＥＧコンバータ１側に送出され、ＭＰＥＧコンバータ１の映像用のＡ／Ｄ変換器２ではこの調整値に応じてアナログ映像信号をディジタル信号に変換するときに画質を調整しているので、例えばＰＣ上でＭＰＥＧデコードして再生するときに画質調整する場合と比較して、画質調整を比較的軽い演算処理で行うことができる。また、画質調整をネット上のこのように画像のソースに近い側で行うことにより、例えばネット上のＰＣで同一画面を複数のディスプレイ上で表示させるような場合に（図３参照）、１回の調整で各ディスプレイに対する調整を済ませることができる。例えば、液晶モニタ向けの調整、ＣＲＴ向けの調整等の別々に行われていた調整を1回で最適に行うことができ、画質の相違を吸収することが可能になる。
【００２９】
なお、本発明は上述した実施形態に限定されるものではない。
【００３０】
例えば、上述した実施形態では、画像表示装置としてＰＣを例示したが、例えばイーサネットに接続可能であって、動画等を表示する機能を有する機器であれば本発明に係る画像表示装置として用いることが可能である。
【００３１】
また、本発明が適用されるネットワークとしては有線に限らず、当然無線のネットワークであっても構わない。
【００３２】
【発明の効果】
以上説明したように、本発明によれば、画質調整を比較的軽い演算処理で行うことができ、また例えばネット上で同一画面を複数のディスプレイ上で表示させるような場合に、１回の調整で各ディスプレイに対する調整を済ませることができる。
【図面の簡単な説明】
【図１】本発明の一実施形態に係るＭＰＥＧコンバータの構成を示すブロック図である。
【図２】図１に示したＭＰＥＧコンバータとＰＣとを１：１で接続したシステムを示す図である。
【図３】図1に示したＭＰＥＧコンバータをイーサネットを介して複数のＰＣを接続したシステムを示す図である。
【図４】画質調整を行うためのＭＰＥＧコンバータとＰＣとの間の信号のやりとりを示すタイミングチャートである。
【符号の説明】
１  ＭＰＥＧコンバータ
２  映像用のＡ／Ｄ変換器
３  音声用のＡ／Ｄ変換器
４  ＭＰＥＧエンコーダ
５  イーサネットコントローラ
６  システムコントローラ
８  クロマ／ＹＵＶデコーダ
９  ＹＵＶの３チャネルＡ／Ｄ変換器
１２、１３  パーソナルコンピュータ（ＰＣ）
１４  イーサネット
【図１】
0003968498.tif 000003
【図２】
0003968498.tif 000004
【図３】
0003968498.tif 000005
【図４】
0003968498.tif 000006